(57)【要約】【課題】  通信端末がユーザの属性に応じた適切な接続先装置に接続することを可能とするユーザ属性連携型接続サービスシステム、接続先判定装置、接続制御装置、及び、ユーザ属性連携型接続サービス方法を提供する。【解決手段】  ユーザ属性連携型接続サービスシステム１の属性対応接続先記憶部３１は、プロバイダ６０を識別するためのＡＰＮ情報と、プロバイダ６０に接続すべきユーザの属性を示す特定属性情報と、を対応付けて記憶する。ユーザ属性取得部３２は、移動機１０から接続要求信号を受信したときに、移動機１０を所持するユーザの属性を取得する。接続先取得部３３は、ユーザの属性に該当するプロバイダ６０のＡＰＮ情報を属性対応接続先記憶部３１から取得する。接続部２２は、取得されたＡＰＮ情報で識別されるプロバイダ６０と移動機１０との通信を接続する。【選択図】  図１
2006146795.tif 000002
【特許請求の範囲】
【請求項１】
接続先装置を識別するための接続先情報と、該接続先装置に接続すべきユーザの属性を示す特定属性情報と、を対応付けて記憶する属性対応接続先記憶手段と、
通信端末から接続要求信号を受信したときに、前記通信端末を所持するユーザの属性を取得するユーザ属性取得手段と、
前記ユーザ属性取得手段により取得されたユーザの属性と、前記属性対応接続先記憶手段に記憶されている特定属性情報とに基づいて、該当する接続先情報を前記属性対応接続先記憶手段から取得する接続先取得手段と、
前記接続先取得手段により取得された接続先情報で識別される接続先装置と前記通信端末との通信を接続する接続手段と
を備えることを特徴とするユーザ属性連携型接続サービスシステム。
【請求項２】
前記接続先取得手段により複数の接続先情報が取得された場合に、該取得された複数の接続先情報を前記通信端末に通知する複数接続先通知手段をさらに備え、
前記接続手段は、
前記複数接続先通知手段による通知に応答して、１つの接続先情報を含む応答信号を前記通信端末から受信した場合に、該１つの接続先情報で識別される接続先装置と前記通信端末との通信を接続することを特徴とする
請求項１に記載のユーザ属性連携型接続サービスシステム。
【請求項３】
前記属性対応接続先記憶手段に記憶されている特定属性情報には、必須属性情報と任意属性情報とが含まれ、
前記接続先取得手段は、
前記必須属性情報に基づいて取得された接続先情報が複数存在する場合に、該複数の接続先情報の中から、前記任意属性情報に基づいて、該当する接続先情報を選択することを特徴とする
請求項１又は２に記載のユーザ属性連携型接続サービスシステム。
【請求項４】
接続先装置を識別するための接続先情報と、該接続先装置に接続すべきユーザの属性を示す特定属性情報と、を対応付けて記憶する属性対応接続先記憶手段と、
通信端末から接続要求信号を受信したときに、該通信端末を所持するユーザの属性を取得するユーザ属性取得手段と、
前記ユーザ属性取得手段により取得されたユーザの属性に該当する特定属性情報に対応付けられて、前記属性対応接続先記憶手段に記憶されている接続先情報を取得する接続先取得手段と
を備えることを特徴とする接続先判定装置。
【請求項５】
通信端末から接続要求信号を受信したときに、該通信端末を所持するユーザの属性に応じた接続先情報を取得する接続先取得手段と、
前記接続先取得手段により取得された接続先情報で識別される接続先装置と前記通信端末との通信を接続する接続手段と
を備えることを特徴とする接続制御装置。
【請求項６】
ユーザ属性連携型接続サービスシステムが行うユーザ属性連携型接続サービス方法において、
通信端末から接続要求信号を受信したときに、該通信端末を所持するユーザの属性に応じた接続先情報を取得するユーザ属性取得ステップと、
前記ユーザ属性取得ステップにおいて取得されたユーザの属性に基づいて、該通信端末が接続すべき接続先装置を判定する接続先判定ステップと、
前記接続先判定ステップにおいて判定された接続先装置と前記通信端末との通信を接続する接続ステップと
を有することを特徴とするユーザ属性連携型接続サービス方法。
【発明の詳細な説明】
【技術分野】
【０００１】
本発明は、ユーザの属性に応じた接続先装置に接続するユーザ属性連携型接続サービスシステム、接続先判定装置、接続制御装置、及び、ユーザ属性連携型接続サービス方法に関する。
【背景技術】
【０００２】
従来、移動機等の通信端末から、インターネット等の通信ネットワークを介して、プロバイダ（情報提供者）が所有するサーバ（以下「プロバイダサーバ」という）や企業ＬＡＮ（Local Area Network）に接続することが行われている。
図１０には、プロバイダサーバ６００を識別するためのＡＰＮ（Access Point Name；アクセスポイント名）情報が予め書き込まれている通信端末１００から、プロバイダサーバ６００に接続する際の処理手順を示す。まず、ユーザは、プロバイダサーバ６００に接続するための発信操作を行う。これにより、通信端末１００は、予めメモリに書き込まれているＡＰＮ情報を読み出して、当該ＡＰＮ情報を含む接続要求信号をＳＧＳＮ（Serving GPRS Support Node）２００に送信する（ステップＳ１００１）。ＳＧＳＮ２００は接続要求信号を受信すると、接続要求信号に含まれるＡＰＮ情報をＤＮＳ（Domain Name System）サーバ４００に送信する（ステップＳ１００２）。ＤＮＳサーバ４００はアドレス解決を行い、接続先のＧＧＳＮ（Gateway GPRS Support Node）５００を通知する（ステップＳ１００３）。ＳＧＳＮ２００は、通知を受けたＧＧＳＮ５００に接続要求信号を送信する（ステップＳ１００４）。ＧＧＳＮ５００は、ＡＰＮ情報で識別されるプロバイダサーバ６００にアクセスする（ステップＳ１００５）。プロバイダサーバ６００にアクセス後は、通信端末１００はユーザの操作を受けて、プロバイダ内の独自コンテンツやインターネット上のサイトにアクセスする（ステップＳ１００６）。
【０００３】
このように、通信端末からプロバイダサーバに接続するためには、予め、プロバイダサーバを識別するためのＡＰＮ情報を通信端末に書き込んでおく必要があった。また、通信端末から新たなプロバイダサーバ又は企業ＬＡＮに接続する際には、ユーザは該当のプロバイダサーバのＡＰＮ情報を入手し、通信端末に書き込む必要があった。また、ユーザは、各プロバイダがどのようなサービスを提供しているかを調べた上で、自己のニーズにあうプロバイダのＡＰＮ情報を入手する必要があった。また、接続先のプロバイダサーバ又は企業ＬＡＮを切り替える場合、ユーザは通信端末を操作して、手動でＡＰＮを切り替える必要があり、使い勝手がよくなかった。
【０００４】
一方、プロバイダが、特定の条件（例えば、特定エリア配下ユーザ等）を満たすユーザに限定した情報提供を行う意図がある場合、ユーザが特定の条件を見たすことを保証するための認証の仕組み（ＩＤ／ＰＷ（パスワード）等）を準備する必要があった。このような認証の仕組みとしては、特定のアクセスポイントに特定の通信端末のみが接続可能なように、接続を許可するユーザの識別情報を当該特定のアクセスポイントに登録する技術が存在する（例えば、特許文献１参照）。しかしながら、このような認証方法では、個々のユーザの識別情報をアクセスポイント毎に登録する手作業が発生し、現実的でない。
【０００５】
また、通信端末に設定されている接続先情報を変更することなく接続先の装置を切り替える技術としては、例えば、特許文献２に記載の技術が提案されている。特許文献２に記載の技術によれば、コンテンツ提供者側サーバは、ユーザの要求に応じて接続制御情報を通信端末へ通知する。通信端末は、接続制御情報に基づいて切替接続先への接続制御処理を実行する。
【特許文献１】特開２００４−２８２３２１号公報（段落００３１）
【特許文献２】特開２００１−２９０７１９号公報（段落００２１〜００２７）
【発明の開示】
【発明が解決しようとする課題】
【０００６】
特許文献２に記載の技術においても、ユーザは、接続先の切り替え要求を行う必要があり、操作の手間がかかる。また、ユーザは自己の意思で接続先を選択する必要があるため、ユーザの居住地域や年齢等の属性に特化したサービスを提供しているプロバイダが存在することを知らない場合には、ユーザは永遠に当該プロバイダからサービスの提供を受けることができない。このように、従来においては、ユーザが所望の接続先装置に接続するためには、手動で接続先の切り替え操作を行わなければならず不便であった。また、プロバイダは、特定のユーザ向けの情報を提供する仕組みを構築することが困難であった。
本発明は以上のような課題に鑑みてなされたものであり、通信端末がユーザの属性に応じた適切な接続先装置に接続することを可能とするユーザ属性連携型接続サービスシステム、接続先判定装置、接続制御装置、及び、ユーザ属性連携型接続サービス方法を提供することを目的とする。
【課題を解決するための手段】
【０００７】
上記課題を解決するために、請求項１に記載の発明は、接続先装置を識別するための接続先情報と、該接続先装置に接続すべきユーザの属性を示す特定属性情報と、を対応付けて記憶する属性対応接続先記憶手段と、通信端末から接続要求信号を受信したときに、前記通信端末を所持するユーザの属性を取得するユーザ属性取得手段と、前記ユーザ属性取得手段により取得されたユーザの属性と、前記属性対応接続先記憶手段に記憶されている特定属性情報とに基づいて、該当する接続先情報を前記属性対応接続先記憶手段から取得する接続先取得手段と、
前記接続先取得手段により取得された接続先情報で識別される接続先装置と前記通信端末との通信を接続する接続手段とを備えることを特徴とするユーザ属性連携型接続サービスシステムを提供する。
【０００８】
この構成によれば、ユーザ属性連携型接続サービスシステムは、ユーザの属性に該当する接続先情報を取得し、取得された接続先情報で識別される接続先装置と通信端末との通信を接続するため、通信端末は、ユーザの属性に応じた適切な接続先装置に接続することが可能となる。このため、ユーザは、特に接続先を意識することなく、かつ、特別な操作を必要とせず、自己の属性に適した情報提供を受けることができ、また、接続先装置は、特定属性を有するユーザに特化したサービス情報を提供することができる。
【０００９】
請求項２に記載の発明は、請求項１に記載のユーザ属性連携型接続サービスシステムにおいて、前記接続先取得手段により複数の接続先情報が取得された場合に、該取得された複数の接続先情報を前記通信端末に通知する複数接続先通知手段をさらに備え、前記接続手段は、前記複数接続先通知手段による通知に応答して、１つの接続先情報を含む応答信号を前記通信端末から受信した場合に、該１つの接続先情報で識別される接続先装置と前記通信端末との通信を接続することを特徴とする。
この構成によれば、ユーザ属性連携型接続サービスシステムは、接続先取得手段により複数の接続先情報が取得された場合には、該取得された複数の接続先情報を通信端末に通知するため、ユーザに１つの接続先情報を選択させることができ、ユーザは所望の接続先装置からサービス情報の提供を受けることができる。
【００１０】
請求項３に記載の発明は、請求項１又は２に記載のユーザ属性連携型接続サービスシステムにおいて、前記属性対応接続先記憶手段に記憶されている特定属性情報には、必須属性情報と任意属性情報とが含まれ、前記接続先取得手段は、前記必須属性情報に基づいて取得された接続先情報が複数存在する場合に、該複数の接続先情報の中から、前記任意属性情報に基づいて、該当する接続先情報を選択することを特徴とする。
この構成によれば、ユーザに負担をかけることなく、ユーザ属性連携型接続サービスシステム側において、ユーザの属性に応じた接続先装置を適切に選択することができる。
【００１１】
請求項４に記載の発明は、接続先装置を識別するための接続先情報と、該接続先装置に接続すべきユーザの属性を示す特定属性情報と、を対応付けて記憶する属性対応接続先記憶手段と、通信端末から接続要求信号を受信したときに、該通信端末を所持するユーザの属性を取得するユーザ属性取得手段と、前記ユーザ属性取得手段により取得されたユーザの属性に該当する特定属性情報に対応付けられて、前記属性対応接続先記憶手段に記憶されている接続先情報を取得する接続先取得手段とを備えることを特徴とする接続先判定装置を提供する。
この構成によれば、通信端末を所持するユーザの属性から接続先情報を取得することができるため、この接続先情報を用いて、ユーザの属性に適した接続先装置に通信端末を接続させることが可能となる。
【００１２】
請求項５に記載の発明は、通信端末から接続要求信号を受信したときに、該通信端末を所持するユーザの属性に応じた接続先情報を取得する接続先取得手段と、前記接続先取得手段により取得された接続先情報で識別される接続先装置と前記通信端末との通信を接続する接続手段とを提供する。
この構成によれば、ユーザが接続先を意識することなく、かつ、特別な操作を必要とせず、通信端末はユーザの属性に応じた接続先装置に接続することができ、ユーザの利便性が高まる。
【００１３】
請求項６に記載の発明は、ユーザ属性連携型接続サービスシステムが行うユーザ属性連携型接続サービス方法において、通信端末から接続要求信号を受信したときに、該通信端末を所持するユーザの属性に応じた接続先情報を取得するユーザ属性取得ステップと、前記ユーザ属性取得ステップにおいて取得されたユーザの属性に基づいて、該通信端末が接続すべき接続先装置を判定する接続先判定ステップと、前記接続先判定ステップにおいて判定された接続先装置と前記通信端末との通信を接続する接続ステップとを有することを特徴とするユーザ属性連携型接続サービス方法を提供する。
この方法によれば、通信端末はユーザの属性に応じた適切な接続先装置に接続することが可能となる。このため、ユーザは自己の属性に応じたサービス情報を取得することができ、また、接続先装置は、ユーザの属性に応じたサービス情報を提供することが可能となる。
【発明の効果】
【００１４】
本発明によれば、ユーザ属性連携型接続サービスシステムは、ユーザの属性に該当する接続先情報を取得し、取得された接続先情報で識別される接続先装置と通信端末との通信を接続するため、通信端末は、ユーザの属性に応じた適切な接続先装置に接続することが可能となる。
【発明を実施するための最良の形態】
【００１５】
次に、図面を参照しながら、本発明を実施するための実施の形態について説明する。なお、以下の説明において参照する各図においては、他の図と同等部分に同一符号が付されている。
（第１の実施の形態）
図１は、本発明の第１の実施の形態に係るユーザ属性連携型接続サービスシステム１を示す。このユーザ属性連携型接続サービスシステム１は、第３世代移動通信システム（ＩＭＴ−２０００（International Mobile Telecommunication 2000））に準拠した通信ネットワークである。同図に示すように、ユーザ属性連携型接続サービスシステム１は、在圏の移動機１０の通信制御を行う在圏交換機であるＳＧＳＮ２０と、移動機１０を所持するユーザの属性に応じた接続先の情報を取得するプロバイダ呼出サーバ３０と、アドレス解決を行うＤＮＳサーバ４０と、ユーザへのサービス情報提供者である「プロバイダ１」が所有するサーバであるプロバイダ６０ａと、「プロバイダ２」が所有するサーバであるプロバイダ６０ｂと、「プロバイダ３」が所有するサーバであるプロバイダ６０ｃと、プロバイダ６０ａ，６０ｂ，６０ｃの通信制御を行う関門交換機であるＧＧＳＮ５０と、を含んで構成される。
【００１６】
プロバイダ６０ａ，６０ｂ，６０ｃは、特定の属性を有するユーザに適したサービス情報を提供するサーバである。なお、以下の説明において、プロバイダ６０ａ，６０ｂ，６０ｃを特に区別する必要がない場合には、「プロバイダ６０」と表記する。また、図１においては、プロバイダ６０を３つ図示し、移動機１０、ＳＧＳＮ２０、プロバイダ呼出サーバ３０、ＤＮＳサーバ４０、及び、ＧＧＳＮ５０をひとつずつ図示しているが、実際には複数存在する。
【００１７】
［プロバイダ呼出サーバの構成］
次に、プロバイダ呼出サーバ（接続先判定装置）３０の構成について説明する。プロバイダ呼出サーバ３０は、一般的なコンピュータのハードウェア構成を備えており、プロバイダ呼出サーバ３０全体を制御するＣＰＵ（Central Processing Unit）、起動時に実行されるプログラムが記憶されるＲＯＭ（Read Only Memory）、データを一時的に記憶するＲＡＭ（Random Access Memory）、各種ソフトウェアを記憶するハードディスク装置、及び、ネットワークを介してデータの授受を制御する通信インターフェースを備えている。
【００１８】
プロバイダ呼出サーバ３０が備えるハードディスク装置には、図２に示すような対応テーブル３０１が設けられている。対応テーブル３０１は、プロバイダ（接続先装置）６０を識別するためのＡＰＮ情報（接続先情報）と、当該プロバイダ６０に接続すべき移動機１０を所持するユーザの属性を示す特定属性情報と、を対応付けて記憶しておくための記憶領域である。この対応テーブル３０１には、各プロバイダにより情報が設定入力される。
【００１９】
また、ハードディスク装置には各種プログラムが記憶されている。各種プログラムの中には、ユーザの属性を取得するためのプログラムと、ユーザの属性に適したプロバイダ６０を判定するためのプログラムとが含まれている。
以上説明したプロバイダ呼出サーバ３０が備えるハードウェア及びソフトウェアによって、図３に示す機能構成がプロバイダ呼出サーバ３０に実現される。
同図に示す属性対応接続先記憶部３１は、対応テーブル３０１を用いて、プロバイダ６０のＡＰＮ情報と特定属性情報との対応関係を管理する。
【００２０】
ユーザ属性取得部３２は、接続要求信号を送信した移動機１０を所持するユーザの属性を取得する。ユーザの属性を取得する具体的な方法としては、例えば、プロバイダにより設定された特定属性情報が位置情報であり、かつ、接続要求信号に位置情報が含まれている場合には、ユーザ属性取得部３２は接続要求信号に含まれている位置情報をユーザの属性として取得する。一方、プロバイダにより設定された特定属性情報が位置情報であり、かつ、接続要求信号に位置情報が含まれていない場合には、ユーザ属性取得部３２は、ＨＬＲ（Home Location Register）等の位置情報を管理する装置から位置情報を取得する。また、プロバイダにより設定された特定属性情報がユーザの年齢や性別等の個人情報である場合には、ユーザ属性取得部３２は、当該個人情報をＨＬＲ等の加入者情報を管理する装置から取得する。
【００２１】
接続先取得部３３は、ユーザの属性に該当する特定属性情報に対応付けて記憶されているＡＰＮ情報を、属性対応接続先記憶部３１から取得する。接続先取得部３３は、取得したＡＰＮ情報をＳＧＳＮ２０に送信する。取得したＡＰＮ情報が複数存在する場合も同様に、ＳＧＳＮ２０に全てのＡＰＮ情報を送信する。
【００２２】
［ＳＧＳＮの構成］
次に、ＳＧＳＮ（接続制御装置）２０の構成について説明する。ＳＧＳＮ２０は、一般的なコンピュータのハードウェア構成を備えており、ＣＰＵ、記憶装置、及び、通信インターフェースを備えている。ＳＧＳＮ２０の記憶装置には、プログラム及びデータ等のソフトウェアが記憶されている。これらのＳＧＳＮ２０が備えるハードウェア及びソフトウェアにより、図４に示す本発明に特徴的な機能構成がＳＧＳＮ２０に実現される。
同図に示す接続先取得部２１は、移動機１０から接続要求信号を受信した場合に、移動機１０を所持するユーザの属性に応じたＡＰＮ情報を、プロバイダ呼出サーバ３０から受信する。
【００２３】
接続部２２は、接続先取得部２１により取得されたＡＰＮ情報を含む回線設定要求信号をＧＧＳＮ５０に送信することにより、接続先取得部２１により取得されたＡＰＮ情報で識別されるプロバイダ６０と移動機１０との通信を接続する。
複数接続先通知部２３は、接続先取得部２１がプロバイダ呼出サーバ３０から複数のＡＰＮ情報を受信した場合に、当該複数のＡＰＮ情報を移動機１０に送信することにより、移動機１０から接続可能なプロバイダ６０が複数存在することをユーザに通知する。
【００２４】
［移動機の構成］
次に、移動機１０の構成について説明する。移動機１０は、一般的な携帯電話機であり、移動機１０全体を制御するＣＰＵと、無線通信を制御する通信インターフェースと、ユーザの操作入力を受け付ける操作キーと、データを一時的に記憶する揮発性メモリと、各種プログラム及びデータを記憶する不揮発性メモリと、各種画面を表示するディスプレイと、位置情報を取得するＧＰＳ（Global Positioning System）とを備えている。不揮発性メモリには、操作キーの操作により入力されたＡＰＮ情報を記憶しておく領域が設けられている。
【００２５】
移動機１０は、ユーザからプロバイダ６０への接続指示を受けた際に、不揮発性メモリに記憶されているＡＰＮ情報と、ＧＰＳから取得した位置情報とを含んだ接続要求信号を生成し、当該接続要求信号をＳＧＳＮ２０に送信する。
また、移動機１０は、ＳＧＳＮ２０から複数の接続先候補（ＡＰＮ情報）が通知された場合に、ディスプレイに複数の接続先候補を表示する。ディスプレイに表示された複数の接続先候補の中からユーザが１つのＡＰＮ情報を選択する操作を行った場合に、移動機１０は、選択されたＡＰＮ情報をＳＧＳＮ２０に送信する。
【００２６】
［ユーザ属性連携型接続サービス処理］
次に、図５に示すフローチャートを参照しながら、ユーザ属性連携型接続サービスシステム１が行うユーザ属性連携型接続サービス処理について説明する。
まず、ユーザ属性連携型接続サービスシステム１は、移動機１０から接続要求信号を受信する（ステップＳ１０１）。次に、ユーザ属性取得部３２は、移動機１０を所持するユーザの属性を取得する（ステップＳ１０２）。
次に、接続先取得部３３は、取得されたユーザの属性を検索キーとして、属性対応接続先記憶部３１に記憶されている特定属性情報を検索し、該当する特定属性情報と対応付けて記憶されているＡＰＮ情報を取得する（ステップＳ１０３）。
【００２７】
接続先取得部２１は、取得されたＡＰＮ情報が複数存在するか否かを判定する（ステップＳ１０４）。判定した結果、取得されたＡＰＮ情報が単数である場合には（ステップＳ１０４；Ｎｏ）、接続部２２は、当該ＡＰＮ情報で識別されるプロバイダ６０宛てに回線設定要求信号を送信する。これにより、移動機１０と、当該ＡＰＮ情報で識別されるプロバイダ６０との通信が接続される（ステップＳ１０７）。
【００２８】
一方、取得されたＡＰＮ情報が複数存在する場合には（ステップＳ１０４；Ｙｅｓ）、複数接続先通知部２３は、取得された複数のＡＰＮ情報を移動機１０に通知する（ステップＳ１０５）。これに応答して、移動機１０から、ユーザにより選択された１つのＡＰＮ情報を受信した場合には（ステップＳ１０６；Ｙｅｓ）、接続部２２は、受信したＡＰＮ情報で識別されるプロバイダ６０宛てに回線設定要求信号を送信する。これにより、移動機１０と、受信したＡＰＮ情報で識別されるプロバイダ６０との通信が接続される（ステップＳ１０７）。
【００２９】
［ユーザ属性に基づいて取得されたＡＰＮ情報が単数の場合の動作例］
次に、図６を参照しながら、ユーザの属性に基づいて取得されたプロバイダのＡＰＮ情報が単数である場合の動作例について説明する。なお、前提として、プロバイダ呼出サーバ３０の対応テーブル３０１には、図２に示す情報が記憶されているものとする。すなわち、情報提供者「プロバイダ１」、「プロバイダ２」、「プロバイダ３」により、特定属性情報として位置情報のみが設定入力されているものとする。また、ユーザの位置情報は、移動機１０に搭載されているＧＰＳから取得されるものとする。また、移動機１０の不揮発性メモリには、予めＡＰＮ情報“mo.ne.jp”が記憶されているものとする。
【００３０】
まず、ユーザは、プロバイダ２エリアに移動した時に、移動機１０を操作してプロバイダ接続指示を行う。これにより、移動機１０は、不揮発性メモリに予め記憶されているＡＰＮ情報“mo.ne.jp”を取得し、また、ＧＰＳから位置情報“プロバイダ２エリア”を取得する。そして、移動機１０は、取得したＡＰＮ情報と位置情報とを含んだ接続要求信号を送信する（ステップＳ１）。
【００３１】
ＳＧＳＮ２０は、移動機１０から受信した接続要求信号を、プロバイダ呼出サーバ３０に転送する（ステップＳ２）。
プロバイダ呼出サーバ３０は接続要求信号を受信すると、属性対応接続先記憶部３１に記憶されている特定属性情報を参照して、設定されている特定属性情報が位置情報のみであることを確認する。そして、ユーザ属性取得部３２は、受信した接続要求信号に含まれる位置情報“プロバイダ２エリア”を属性情報として取得する。
【００３２】
接続先取得部３３は、ユーザの位置情報“プロバイダ２エリア”を検索キーとして、図２に示す対応テーブル３０１の特定属性情報を検索する。そして、接続先取得部３３は、該当する特定属性情報“位置情報：プロバイダ２エリア”に対応付けられて記憶されているＡＰＮ情報“flexible.ne.jp”を取得する（ステップＳ３）。プロバイダ呼出サーバ３０は、取得したＡＰＮ情報“flexible.ne.jp”をＤＮＳサーバ４０に通知する（ステップＳ４）。
【００３３】
ＤＮＳサーバ４０はアドレス解決を行う（ステップＳ５）。具体的には、ＤＮＳサーバ４０は、受信したＡＰＮ情報“flexible.ne.jp”に基づいてデータベースを検索し、「プロバイダ２」が所有するサーバであるプロバイダ６０ｂと、プロバイダ６０ｂを収容するＧＧＳＮ５０と、のＩＰ（Internet Protocol）アドレス情報を取得する。ＤＮＳサーバ４０は、取得したＩＰアドレス情報をＳＧＳＮ２０に送信する。
【００３４】
ＳＧＳＮ２０の接続先取得部２１は、接続先のＩＰアドレス情報をＤＮＳサーバ４０から受信する。接続部２２は、取得したＩＰアドレス情報を含む回線設定要求信号を生成し、生成した回線設定要求信号をＧＧＳＮ５０宛てに送信する（ステップＳ６）。ＧＧＳＮ５０は、ＳＧＳＮ２０から接続要求信号を受信すると、プロバイダ６０ｂに接続する（ステップＳ７）。
【００３５】
［ユーザ属性に基づいて取得されたＡＰＮ情報が複数の場合の動作例］
次に、図７を参照しながら、ユーザの属性に基づいて取得されたプロバイダのＡＰＮ情報が複数である場合の動作例について説明する。
ここでは、ユーザがプロバイダ１エリアと、プロバイダ２エリアと、プロバイダ３エリアとが重なっているエリアに位置していたものとする。
図７に示すステップＳ１及びステップＳ２における処理は、図６におけるステップＳ１及びステップＳ２における処理と同様である。
【００３６】
ステップＳ３において、接続先取得部３３は、ユーザの位置情報“プロバイダ１エリア、かつ、プロバイダ２エリア、かつ、プロバイダ３エリア”を検索キーとして、図２に示す対応テーブル３０１の特定属性情報を検索する。検索した結果、接続先取得部３３は、特定属性情報“位置情報：プロバイダ１エリア”と“位置情報：プロバイダ２エリア”と“位置情報：プロバイダ３エリア”とを取得し、当該特定属性情報各々と対応付けられて記憶されているＡＰＮ情報として“somewhere.ne.jp”と、“flexible.ne.jp”と、“here.co.jp”とを取得する（ステップＳ３）。プロバイダ呼出サーバ３０は、取得した複数のプロバイダのＡＰＮ情報をＳＧＳＮ２０に通知する（ステップＳ３−１）。
【００３７】
ＳＧＳＮ２０の接続先取得部２１は、複数のＡＰＮ情報を受信する。複数接続先通知部２３は、受信した複数のＡＰＮ情報を移動機１０に送信する（ステップＳ３−２）。
移動機１０は、ＳＧＳＮ２０から受信した複数のＡＰＮ情報をディスプレイに表示する。移動機１０を所持するユーザは、ディスプレイに表示された複数のＡＰＮ情報の中から、１つのＡＰＮ情報“flexible.ne.jp”を選択する操作を行う。
【００３８】
これにより、移動機１０は、ユーザに選択されたＡＰＮ情報“flexible.ne.jp”をＳＧＳＮ２０に送信する（ステップＳ３−３）。ＳＧＳＮ２０は、移動機１０から受信したＡＰＮ情報“flexible.ne.jp”をプロバイダ呼出サーバ３０に送信する（ステップＳ３−４）。
ステップＳ４以降で行われる処理は、図６に示すステップＳ４以降で行われる処理と同様であるため、重複した説明を省略する。
【００３９】
このように、接続先取得部３３により複数のプロバイダのＡＰＮ情報が取得された場合には、複数接続先通知部２３により移動機１０に複数のＡＰＮ情報を通知し、ユーザに１つのＡＰＮ情報を選択させることができるため、ユーザは所望のプロバイダ６０に接続することができる。
なお、プロバイダ呼出サーバ３０の接続先取得部３３により取得されたＡＰＮ情報が複数存在した場合には、所定の基準により、複数のＡＰＮ情報についての優先順位付けを行うようにしてもよい。そして、複数のＡＰＮ情報を受信した移動機１０は、優先順位順に配列されたＡＰＮ情報をディスプレイに表示するようにしてもよい。
【００４０】
（第２の実施の形態）
次に、本発明の第２の実施の形態について説明する。
第２の実施の形態においては、プロバイダ呼出サーバ３０の接続先取得部３３により複数のＡＰＮ情報が取得された場合に、第１の実施形態のように移動機１０に複数のＡＰＮ情報を送信せずに、接続先取得部３３が他の要素に基づいて、１つのＡＰＮ情報を選択する。
【００４１】
図８には、第２の実施の形態に係る対応テーブル３０１のデータ構成を示す。同図に示すように、特定属性情報は、必須属性情報と任意属性情報とで構成されている。この対応テーブル３０１の必須属性情報により、プロバイダは、必須属性情報で示される属性を満たすユーザのみからのアクセスを許可することとなる。また、任意属性情報は、接続先取得部３３により取得されたＡＰＮ情報が複数存在する場合に、当該複数のＡＰＮ情報から１つのＡＰＮ情報を選択するために用いられる情報である。
【００４２】
第２の実施の形態に係る接続先取得部３３は、必須属性情報に基づいて取得されたＡＰＮ情報が複数存在する場合に、当該取得された複数のＡＰＮ情報の中から、任意属性情報に基づいてＡＰＮ情報を選択する。選択方法としては、例えば、接続先取得部３３は、ユーザの属性が任意属性情報を構成する属性を全て満たす場合に、当該任意属性情報に対応するＡＰＮ情報を選択する。
【００４３】
また、任意属性情報を構成する属性が複数存在する場合には、当該属性に優先順位を設けてもよい。例えば、接続先取得部３３は、まず、ユーザの属性が任意属性１を満たすか否かを判断し、満たしている場合には任意属性１に対応するＡＰＮ情報を取得する。取得したＡＰＮ情報が複数存在した場合に、さらに、接続先取得部３３は、ユーザの属性が任意属性２を満たすか否かを判定し、満たしている場合には任意属性２に対応するＡＰＮ情報を取得するようにしてもよい。
上述した構成以外のユーザ属性連携型接続サービスシステム１の構成は、第１の実施の形態に係るユーザ属性連携型接続サービスシステム１の構成と同様である。
【００４４】
［ユーザ属性連携型接続サービス処理］
次に、図９に示すフローチャートを参照しながら、第２の実施の形態に係るユーザ属性連携型接続サービスシステム１が行うユーザ属性連携型接続サービス処理について説明する。
ステップＳ２０１からステップＳ２０４までにおいて行われる処理は、第１の実施形態におけるステップＳ１０１からステップＳ１０４までにおいて行われる処理と同様である。
ステップＳ２０４において、接続先取得部３３は、属性対応接続先記憶部３１に記憶されている必須属性情報の中から、ユーザの属性に該当する必須属性情報を取得する。そして、接続先取得部３３は、該当する必須属性情報に対応するＡＰＮ情報を取得する。
【００４５】
取得されたＡＰＮ情報が複数存在する場合に（ステップＳ２０４；Ｙｅｓ）、接続先取得部３３は、当該取得された複数のＡＰＮ情報の中から、任意属性情報に基づいてＡＰＮ情報を選択する。具体的には、接続先取得部３３は、取得された複数のＡＰＮ情報各々に対応する任意属性情報が、ユーザの属性に該当するか否かを判定する。そして、接続先取得部３３は、ユーザの属性に該当していると判定された任意属性情報に対応するＡＰＮ情報を選択する。
【００４６】
例えば、ユーザＡが３０歳代の女性であり、プロバイダ１エリアとプロバイダ３エリアとの両方のエリアに位置していた場合には、接続先取得部３３は、図８に示す対応テーブル３０１の必須属性情報に基づいて、「プロバイダ１」のＡＰＮ情報“flexible.ne.jp”と「プロバイダ３」のＡＰＮ情報“here.co.jp”との、２つのＡＰＮ情報を取得する。
【００４７】
必須属性情報に基づいて取得されたＡＰＮ情報が２つ存在するため、接続先取得部３３は、当該取得された２つのＡＰＮ情報の中から、任意属性情報に基づいてＡＰＮ情報を選択する。ここでは、図８に示すように、「プロバイダ１」のＡＰＮ情報と対応付けられている任意属性情報が「性別：女性」であり、「プロバイダ３」のＡＰＮ情報と対応付けられている任意属性情報が「年齢：２０代」であるため、接続先取得部３３は、ユーザＡの属性（女性）に該当する任意属性情報に対応する「プロバイダ１」のＡＰＮ情報“flexible.ne.jp”を選択する。
【００４８】
なお、任意属性情報を用いても１つのＡＰＮ情報を選択することができなかった場合には、他の要素に基づいてさらにＡＰＮ情報を絞りこむか、もしくは、第１の実施の形態のように、複数接続先通知部２３によって移動機１０に複数のＡＰＮ情報を送信し、ユーザに１つのＡＰＮ情報を選択させるようにしてもよい。
以上説明したように、ユーザ属性連携型接続サービスシステム１が移動機１０を所持するユーザの属性に応じて接続先のプロバイダ６０を切り替えることで、特定属性ユーザ向けサービスを提供するプロバイダ６０に移動機１０を自動的に接続させることができる。
【００４９】
このため、プロバイダは、移動機１０が利用した通信料のプロバイダへのリバース課金、プロバイダ独自サービス情報提供等、特定ユーザに限定したプロバイダ独自のサービスメニューを提供することができる。なお、「リバース課金」とは、移動機１０の利用した通信料が通信事業者からプロバイダへ請求され、プロバイダからさらに自らの顧客である情報提供者へ課金される仕組みである。このように独自のサービスメニューを提供することができるため、プロバイダは集客力を上げることができ、他プロバイダとの差別化を図ることが可能となる。また、ユーザ属性連携型接続サービスシステム１側で全て処理を行うため、移動機１０やユーザに負荷がかかることがない。さらに、公衆のインターネット網を経由せずに、直接、属性に応じたプロバイダ６０と接続するため、通信のセキュリティや遅延の面でも効果がある。
【００５０】
ここで、プロバイダにより提供されるサービスとしては、テーマパーク関連では、乗り物の待ち時間情報、チケット発券、パレードなどの催し物情報、レストランの待ち時間情報、迷子情報、落し物情報等が考えられる。また、レストラン関連においては、おすすめメニュー、期間限定メニュー、オーダー受付、支払い、割引券についての情報が考えられる。また、ショップ関連においては、おすすめ商品、セール情報が考えられる。また、医療関連においては、病院の診療予約、順番待ち用整理券配布が考えられる。また、企業内のイントラネット接続サービスも考えられる。  そして、ユーザは、アクセスするＡＰＮを意識することなく、また、切り替え操作を行うことなく、ユーザの属性に応じた適切なプロバイダ６０に接続することが可能となる。これにより、ユーザは、自己の特定の属性に特化したサービス情報の提供を受けることができる。
【００５１】
なお、上述した実施形態においては、移動機１０は、ＧＰＳにより位置情報を取得するとして説明したが、移動機１０が位置情報を取得する方法はこれに限定されない。例えば、移動機１０を収容する基地局のＩＤから位置情報を取得してもよい。
また、上述した実施形態においては、ユーザ属性連携型接続サービスシステム１は、移動機１０とプロバイダ６０との通信を接続するサービスを提供するとして説明したが、プロバイダ６０に限定されず、例えば企業ＬＡＮとの接続サービスであってもよい。また、プロバイダ６０は、ユーザの属性に応じたサービスを提供する装置であればよい。また、上述した実施形態においては、接続先情報としてＡＰＮ情報を用いたが、接続先情報は、プロバイダ６０をネットワーク上で識別するための情報であればよい。
【００５２】
また、属性情報としては、位置情報、性別、生年月日、名前以外に、住所、職業、趣、身長、体重、嗜好等を含めることもできる。
また、移動機１０は携帯電話機に限定されず、通信可能な通信端末であればよい。例えば、ＰＨＳ（Personal Handyphone System）でも、ＰＤＡ（Personal Digital Assistance）でも、パーソナルコンピュータでもよい。
【産業上の利用可能性】
【００５３】
ユーザ属性に応じたサービスの提供に利用することができる。
【図面の簡単な説明】
【００５４】
【図１】本発明の第１の実施の形態に係るユーザ属性連携型接続サービスシステムの構成を示す図である。
【図２】同実施の形態に係る対応テーブルのデータ構成を示す図である。
【図３】同実施の形態に係るプロバイダ呼出サーバの機能構成を示す図である。
【図４】同実施の形態に係るＳＧＳＮの機能構成を示す図である。
【図５】同実施の形態に係るユーザ属性連携型接続サービスシステムが行うユーザ属性連携型接続サービス処理の流れを示すフローチャートである。
【図６】同実施の形態に係るユーザ属性に基づいて取得されたＡＰＮ情報が単数の場合の動作例を説明するための図である。
【図７】同実施の形態に係るユーザ属性に基づいて取得されたＡＰＮ情報が複数の場合の動作例を説明するための図である。
【図８】本発明の第２の実施の形態に係る対応テーブルのデータ構成を示す図である。
【図９】同実施の形態に係るユーザ属性連携型接続サービスシステムが行うユーザ属性連携型接続サービス処理の流れを示すフローチャートである。
【図１０】従来の接続処理を説明するための図である。
【符号の説明】
【００５５】
１      ユーザ属性連携型接続サービスシステム
１０    移動機
２０    ＳＧＳＮ
２１    接続先取得部
２２    接続部
２３    複数接続先通知部
３０    プロバイダ呼出サーバ
３０１  対応テーブル
３１    属性対応接続先記憶部
３２    ユーザ属性取得部
３３    接続先取得部
４０    ＤＮＳサーバ
５０    ＧＧＳＮ
６０，６０ａ，６０ｂ，６０ｃ    プロバイダ
【図１】
2006146795.tif 000003
【図２】
2006146795.tif 000004
【図３】
2006146795.tif 000005
【図４】
2006146795.tif 000006
【図５】
2006146795.tif 000007
【図６】
2006146795.tif 000008
【図７】
2006146795.tif 000009
【図８】
2006146795.tif 000010
【図９】
2006146795.tif 000011
【図１０】
2006146795.tif 000012